(57)【要約】      （修正有）【課題】マチを有する枕を容易かつ安価に製作できるとともに、頭部を載置した際の落ち込みを抑制して頭部の拘束を緩和し、寝返りを容易に行なえる枕を提供する。【解決手段】上面側の枕生地１５，１６と下面側の枕生地１４との間に一対の仕切壁７，８を斜状に対向配置する。前記仕切壁７，８を介して枕生地の内部に中央室９と両側の側室１０を区画する。前記各室９，１０に詰物１１，１２を充填した。上面側または下面側に複数枚の枕生地１５，１６を配置する。前記重合配置した内側の枕生地１５を上面側および下面側に配置した枕生地１６，１４の上下に離間して縫着する。前記二つの縫着部１７−２０，１８−１９で区画した枕生地１５によって前記仕切壁７，８を形成する。【選択図】図６
2015008757.tif 000002
【特許請求の範囲】
【請求項１】
上面側の枕生地と下面側の枕生地との間に一対の仕切壁を斜状に対向配置し、該仕切壁を介して枕生地の内部に中央室と両側の側室を区画し、前記各室に詰物を充填した枕において、上面側または下面側に複数枚の枕生地を配置し、該重合配置した内側の枕生地を上面側および下面側に配置した枕生地の上下に離間して縫着し、前記二つの縫着部で区画した枕生地によって前記仕切壁を形成したことを特徴とする枕。
【請求項２】
前記仕切壁の両側に異なる詰物を充填した請求項１記載の枕。
【請求項３】
前記仕切壁の一側の中央室に柔軟な詰物を充填し、仕切壁の他側の側室に前記詰物よりも硬く流動性に富む詰物を充填した請求項２記載の枕。
【請求項４】
前記中央室の上面に凸部を形成した請求項１記載の枕。
【請求項５】
上面側と下面側に配置した枕生地の二位置を離間して縫着するとともに、前記枕生地の外側端部を縫着し、片側に開口する複数の袋状部を形成した請求項１記載の枕。
【請求項６】
前記中央室上に使用者の頭部を載置した際、側室上面からの頭部の沈み込み変位を抑制可能にした請求項３記載の枕。
【請求項７】
枕の一側面側に二枚の枕生地を重合配置し、その他側面側に一枚の枕生地を配置した請求項１記載の枕。
【請求項８】
前記仕切壁を単一の枕生地で形成した請求項１記載の枕。
【請求項９】
前記仕切壁の両側における二種類の詰物の重合割合を漸次変化させ、寝返り時に異なる感触を感得可能にした請求項３記載の枕。
【発明の詳細な説明】
【技術分野】
【０００１】
本発明は、端切れ状のマチ布の使用とその縫着を廃し、簡単な構成によってマチを形成し、マチを有する枕を容易かつ安価に製作できるとともに、頭部を載置した際の落ち込みを抑制して頭部の拘束を緩和し、寝返りを容易に行なえる枕に関する。
【背景技術】
【０００２】
例えば肩口を冷やさず頸部を優しく支持し、頭部をしっかり支持する枕として、後頭部支持部の両側に側頭部支持部を配置し、これらを仕切り片で区画するとともに、それらの一側に長尺の頸部支持部を配置し、該頸椎支持部に弾力性に富んだ詰物を充填し、側頭部支持部には後頭部支持部の詰物よりも硬い詰物を充填したものがある（例えば、特許文献１参照）。
【０００３】
しかし、この枕は仕切り片を表地と裏地に直接逢着しているため、仕切り片と頸椎支持部との交差部では詰物の充填スペ−スを十分確保することができず、各支持部に詰物を充填すると前記交差部周辺が落ち込んで凹状になり、これらに後頭部や側頭部を載置しても安定感が得られず快適な睡眠を得られない上に、側頭部支持部の詰物が後頭部支持部の詰物よりも硬いため、頭部の位置が拘束されて寝返りし辛いという問題があった。
【０００４】
このような問題を解決するものとして、後頭部支持部と側頭部支持部と頸部支持部との間を端切れ状の複数のマチ布で区画し、このマチ布の端縁を表地または裏地に逢着し、またはマチ布の端縁を屈曲して交差するマチ布に逢着し、各支持部の間に詰物を十分に充填することによって前記交差部周辺の落ち込みを防止するようにしたものがある（例えば、特許文献２参照）。
【０００５】
しかし、前記枕は複数のマチ布とその縫着を要し、製作に手間が掛かって高価になる上に、マチ布を表地または裏地に対し垂直に取付けているため、頭部の重量によってマチ布が押し潰され、交差部周辺が落ち込んで凹状になってしまうとともに、各詰物が移動して枕が短期間で型崩れを起こしてしまう等の問題があった。
【０００６】
この問題を解決するものとして、枕ケ−スの内側に端切れ状のマチ布である細長矩形の第１および第２側壁生地を対向配置し、各生地の周囲に上下面生地に逢着可能な縫い代を設けるとともに、第１および第２側壁生地の間にマチ布であるく字形状の第１および第２中央隔壁生地を対向配置し、各生地の周囲に上下面生地に逢着可能な縫い代を設け、枕ケ−ス内を複数室に区画し、各室の外側の側壁と一方の中央隔壁生地の中央に芯材を充填する開口部を設け、両側の第１および第２側部を最も高く形成し、内側の第１および第２頸椎支持部を次に高く形成し、中央の後頭部支持部を最も低く形成したものがある（例えば、特許文献３参照）。
【０００７】
しかし、前記枕は複数のマチ布とその縫着を要し、製作に手間が掛かって高価になる上に、マチ布を表地または裏地に対し垂直に取付けているため、頭部の重量によってマチ布が短期間で押し潰され、中央の後頭部支持部周辺が更に落ち込んで凹状になってしまい、頭部の位置が拘束されて寝返りし辛い上に、開口部が枕ケ−スの四周に配置されているため、芯材充填の作業性が悪く煩雑になる等の問題があった。
【０００８】
そこで、このような問題を解決するものとして、枕ケースの内側に端切れ状のマチ布である左右縦仕切壁を斜め上向きに配置し、それらの内側にマチ布である中央横仕切壁を斜状に配置し、各区画室に袋状のユニット芯材またはチップ芯材を配置し、隣接する芯材を重合させて各室の芯材の段差の形成を防止するとともに、複数の芯材を重合することによって異質の趣向ないし感触を味わえるようにしたものがある（例えば、特許文献４参照）
【０００９】
しかし、前記枕は端切れ状の複数の仕切壁とその縫着を要し、製作に手間が掛かって高価になる上に、頭部の載置面を平坦に構成しているため、頭部の載置時に中央部周辺が落ち込んで凹状になり、頭部の位置が拘束されて寝返りし辛く、しかも側面に複数の開口部を設けているため、芯材充填の作業性が悪く煩雑になる等の問題があった。
【００１０】
また、前記問題を解決する別のものとして、枕ケースの内側に首支持部のマチ布である端切れ状の異形の傾斜仕切壁と、頭支持部のマチ布である端切れ状の異形の傾斜仕切壁を配置し、前記首支持部の傾斜仕切壁に矩形の流動阻止片と、該流動阻止片の両端に流動調製片を配置し、これらの両側に補助仕切壁を配置し、頭部と首を枕の中央に載せた際、流動調製片によって粒状中材が程良く側部へ移動させ、首支持部の適正な高さを確保するとともに、枕の側部を利用した際、流動阻止片によって粒状中材が側部から首支持部に流動する量を抑制し、側部の適正な高さを確保するようにしたものがある（例えば、特許文献５参照）。
【００１１】
しかし、前記枕は端切れ状の複数の複雑な仕切壁とその縫着を要し、製作に手間が掛かって高価になる上に、頭部載置面の中央部を凹状に構成しているため、頭部を載置した際に中央部周辺が更に落ち込んで頭部の位置が拘束されて寝返りし辛く、しかも側面に複数の開口部を設けているため、芯材充填の作業性が悪く煩雑になる等の問題があった。
【先行技術文献】
【特許文献】
【００１２】
【特許文献１】特開２００１−１０４１２７号公報
【特許文献２】特開２００４−３２１４５５号公報
【特許文献３】特許第３５７５７５９号公報
【特許文献４】特許第４６３６４０２号公報
【特許文献５】特開２０１２−１１５５４０号公報
【発明の開示】
【発明が解決しようとする課題】
【００１３】
本発明はこのような問題を解決し、端切れ状のマチ布の使用とその縫着を廃し、簡単な構成によってマチを形成し、マチを有する枕を容易かつ安価に製作できるとともに、頭部を載置した際の落ち込みを抑制して頭部の拘束を緩和し、寝返りを容易に行なえる枕を提供することを目的とする。
【課題を解決するための手段】
【００１４】
請求項１の発明は、上面側の枕生地と下面側の枕生地との間に一対の仕切壁を斜状に対向配置し、該仕切壁を介して枕生地の内部に中央室と両側の側室を区画し、前記各室に詰物を充填した枕において、上面側または下面側に複数枚の枕生地を配置し、該重合配置した内側の枕生地を上面側および下面側に配置した枕生地の上下に離間して縫着し、前記二つの縫着部で区画した枕生地によって前記仕切壁を形成し、従来の端切れ状のマチ布の使用とその縫着を廃し、マチを有する枕を簡単な構成によってマチを形成し、容易かつ安価に製作できるようにしている。
請求項２の発明は、仕切壁の両側に異なる詰物を充填し、異なる詰物による多様な感触を感得し得るようにしている。
請求項３の発明は、仕切壁の一側の中央室に柔軟な詰物を充填し、仕切壁の他側の側室に前記詰物よりも硬く流動性に富む詰物を充填し、仕切壁の両側に配置した異質の詰物によって多様な感触を得られるようにしている。
【００１５】
請求項４の発明は、中央室の上面に凸部を形成し、該凸部上に頭部を載置するようにして、頭部の沈み込み変位を抑制するようにしている。
請求項５の発明は、上面側と下面側に配置した枕生地の二位置を離間して縫着するとともに、前記枕生地の外側端部を縫着し、片側に開口する複数の袋状部を形成し、袋状部に対する詰物の充填を容易かつ能率良く行なえるようにしている。
請求項６の発明は、中央室上に使用者の頭部を載置した際、側室上面からの頭部の沈み込み変位を抑制可能にし、寝返りを容易に行なえるようにしている。
請求項７の発明は、枕の一側面側に二枚の枕生地を重合配置し、その他側面側に一枚の枕生地を配置し、枕生地の使用量を低減して構成を簡潔にし、マチを有する枕を容易かつ安価に製作するようにしている。
【００１６】
請求項８の発明は、仕切壁を単一の枕生地で形成し、マチの構成を構成を簡潔にし部品点数の低減を図るようにしている。
請求項９の発明は、仕切壁の両側における二種類の詰物の重合割合を漸次変化させ、寝返り時に異なる感触を感得可能にし、寝返り時の多様な感触を得られるようにしている。
【発明の効果】
【００１７】
請求項１の発明は、上面側または下面側に複数枚の枕生地を配置し、該重合配置した内側の枕生地を上面側および下面側に配置した別の枕生地の二位置に離間して縫着し、前記二つの縫着部で区画した枕生地によって前記仕切壁を形成したから、従来の端切れ状のマチ布の使用とその縫着を廃し、簡単な構成によってマチを形成し、マチを有する枕を容易かつ安価に製作することができる。
請求項２の発明は、仕切壁の両側に異なる詰物を充填し、異なる詰物による多様な感触を感得することができる。
請求項３の発明は、仕切壁の一側の中央室に柔軟な詰物を充填し、仕切壁の他側の側室に前記詰物よりも硬く流動性に富む詰物を充填したから、仕切壁の両側に配置した異質の詰物によって多様な感触を感得することができる。
【００１８】
請求項４の発明は、中央室の上面に凸部を形成したから、凸部上に頭部を載置することによって、頭部の沈み込み変位を抑制することができる。
請求項５の発明は、上面側と下面側に配置した枕生地の左右二位置を離間して縫着するとともに、前記枕生地の外側端部を縫着し、片側に開口する複数の袋状部を形成したから、袋状部に対する詰物の充填を容易かつ能率良く行なうことができる。
請求項６の発明は、中央室上に使用者の頭部を載置した際、側室上面からの頭部の沈み込み変位を抑制可能にしたから、寝返りを容易に行なうことができる。
請求項７の発明は、枕の一側面側に二枚の枕生地を重合配置し、その他側面側に一枚の枕生地を配置したから、枕生地の使用量を低減して構成を簡潔にし、マチを有する枕を容易かつ安価に製作することができる。
【００１９】
請求項８の発明は、仕切壁を単一の枕生地で形成したから、マチの構成を簡潔にし部品点数の低減を図ることができる。
請求項９の発明は、仕切壁の両側における二種類の詰物の重合割合を漸次変化させ、寝返り時に異なる感触を感得可能にしたから、寝返り時の多様な感触を得ることができる。
【図面の簡単な説明】
【００２０】
【図１】本発明の枕の上面側を示す斜視図である。
【図２】本発明の枕の下面側を示す斜視図である。
【図３】図１の正面図である。
【図４】図１の背面図である。
【図５】図１の右側面図である。
【００２１】
【図６】図１のＡ−Ａ線に沿う断面図である。
【図７】図１のＢ−Ｂ線に沿う断面図である。
【図８】図１のＣ−Ｃ線に沿う断面図である。
【図９】本発明の枕の製作に使用した３枚の枕生地を示す斜視図である。
【図１０】本発明の枕の製作時において、第１および第２枕生地を重合し中央部を縫着した状況を示す平面図である。
【００２２】
【図１１】第１および第２枕生地を重合し中央部を縫着した状況を示す斜視図である
【図１２】本発明の枕の製作時において、第２および第３枕生地を第１枕生地に重合し、中央部を縫着した状況を示す平面図である。
【図１３】第２および第３枕生地を第１枕生地に重合し、中央部を縫着した状況を示す斜視図である。
【図１４】図１３の要部を拡大して示す断面図で、第１乃至第３枕生地の縫着状況を示している。
【図１５】第１乃至第３枕生地の中央部を縫着後、表地を縫着する前の状況を示す斜視図である。
【００２３】
【図１６】第１乃至第３枕生地に表地を縫着した状況を示す斜視図である。
【図１７】表地の縫着後、表地を裏返した状況を示す斜視図である。
【図１８】表地の裏返後、各袋状部に詰物を充填した状況を示す斜視図である。
【図１９】前記各袋状部に詰物を充填した状況の要部を拡大して示す断面図である。
【図２０】本発明の枕の使用状況を示す斜視図である。
【図２１】本発明の枕の使用状況を示す断面図で、詰物の移動と頭部の落ち込み状況を示している。
【発明を実施するための最良の形態】
【００２４】
以下、本発明を図示の実施形態について説明すると、図１乃至図２１において１は横長矩形の枕で、その上面の中央に平面が等脚台形形状の凸部２が突設され、その両側に平面が同形の台形形状からなる側部３，３が形成されている。
前記凸部２は側部３から突出して形成され、その突出高さｈの上面は略平坦ないし緩やかな凸状湾曲面に形成されていて、その上面に使用者Ｐの頭部６を載置可能にしている。
前記凸部２の台形形状は、上底の長さが下底の長さの略１／２に形成され、その高さが下底の長さよりも若干短く形成され、また側部３の台形形状は、図１および図１２のように上底の長さが下底の長さの略１／２に形成され、その高さが下底の長さよりも長く形成されている。
【００２５】
前記枕１の下面に同高の３つの凸部４，５，５が突設され、これらは何れも平面が台形形状に形成され、それらを後述の縫着線によって区画している。
このうち、前記凸部４は枕１の下面の中央に配置され、その平面が等脚台形形状に形成され、その上底の長さが下底の長さの１／３に形成され、かつその上底の長さは前記凸部２の上底の長さの１／２に形成され、下底の長さが前記凸部２の下底の長さの略３／４に形成され、高さは凸部２の高さと同一で、下底の長さよりも若干高く形成されている。
【００２６】
前記凸部５，５は凸部４の両側に配置され、これらが凸部４を中心に対称に配置され、その台形形状は上底の長さが下底の長さの２／３に形成され、この上底の長さが前記凸部２の上底の長さと同長に形成され、その高さが下底の長さより若干長く形成されていて、それらの下面は略平坦ないし緩やかな凸状湾曲面に形成されている。
【００２７】
そして、上面の凸部２と側部３との境界部と、下面の凸部４と凸部５との境界部との間に、後述する第２枕生地からなるマチを構成する仕切壁７が斜状に配置されている。
また、下面の凸部４の両側部と凸部５，５との境界部との間に、後述する第２枕生地からなるマチを構成する仕切壁８が斜状に配置されている。
前記仕切壁７，８は、凸部２を上向きに配置し、かつ凸部２に頭部６を載置しない不使用時は、斜め上向きの逆ハ字形状に形成されている。
【００２８】
すなわち、枕１は仕切壁７，８によって、凸部２，４を備えた中央室９と、側部３，５を備えた同様な側室１０，１０とに区画され、これらの中央室９と側室１０，１０に詰物１１，１２が充填されている。
実施形態では、前記中央室９に粒綿、羽毛等の柔軟で弾性を有する軽量な詰物１１が充填され、側室１０，１０に合成樹脂製のパイプや蕎麦殻等の流動性が良好で硬く軽量な詰物１２が充填されている。
【００２９】
そして、布団１３上に枕１を配置し、凸部２に頭部６を載置する使用時は、頭部６の重量によって中央室９内の詰物１１を圧縮し、凸部２を押し下げるとともに、下面の凸部４を押し潰して実質的に消失させ、押圧した詰物１１の一部を仕切壁７，８に沿って側部４，５側へ移動させている。
そして、中央室９内に詰物１１を押し込んで弾性を増強し、仕切壁７，８を略Ｓ字形断面に湾曲させて、側部３，３上面からの頭部６の沈み込みを可及的に抑制するようにしている。この状況は図２１のようである。
【００３０】
図９乃至図１８は枕１の製作手順を示し、その製作には綿または化学繊維等からなる３枚の第１乃至第３枕生地１４，１５，１６を要する。
前記第１ないし第３枕生地１４，１５，１６は横長矩形の同形の布片からなり、その製作は先ず第１および第２枕生地１４，１５を重合し、それらの長尺側端縁の隅角部より等距離位置で、その一対の端縁の互いに異なる等距離位置同士を直線状に縫着する。
【００３１】
この状況は図１０のようで、前記端縁位置を縫着した縫着線１７，１８の長さを同長に形成し、該縫着線１７，１８と一対の端縁とで凸部４を等脚台形に区画形成し、その両側に同形の凸部５を台形に区画形成している。
前記等脚台形は、上底の長さが下底の長さの１／３に形成され、高さが下底よりも若干高く形成され、その両側の台形は、上底の長さが下底の長さの２／３に形成され、高さは下底よりも若干高く形成されていて、上底の長さが前記等脚台形の上底の長さの２倍で、下底の長さが前記等脚台形の下底と同長に形成されている。
したがって、前記第１および第２枕生地１４，１５の縫着後は、それらの長尺側端縁の中央部を開口した略銅鐸形の筒状部Ｔ1が形成される。
【００３２】
次に、前記第２枕生地１５上に第３枕生地１６を重合し、それらの長尺側端縁の隅角部より等距離位置と、その一対の端縁の互いに異なる等距離位置同士を直線状に縫着し、この縫着線１９，２０を前記縫着線１７，１８の外側に配置する。
この状況は図１２のようで、縫着線１９，２０の長さを同長に形成し、該縫着線１９，２０と一対の端縁とで凸部２を等脚台形に区画形成し、その両側に同形の側部３，３を台形に形成する。
【００３３】
前記等脚台形は前記縫着線１７，１８による等脚台形よりも大形に形成され、その上底の長さが下底の長さの略１／２に形成され、高さが下底の長さよりも若干短く形成され、かつ上底の長さは前記縫着線１７，１８による等脚台形の上底の長さの２倍で、下底の長さが前記等脚台形の下底の長さの約４／３に形成されている。
【００３４】
また、前記等脚台形の両側の側部３を形成する台形は、上底の長さが下底の長さの１／２に形成され、高さが下底の長さより若干短く形成されていて、上底の長さが前記縫着線１７，１８による等脚台形の上底の長さの２倍で、下底の長さが前記等脚台形の下底の長さよりも若干短く形成されている。
したがって、前記第２および第３枕生地１５，１６の縫着後は、それらの長尺側端縁の中央部を開口した筒状部Ｔ1より大形の略銅鐸形の筒状部Ｔ2に形成される。
【００３５】
このようにして縫着した第１乃至第３枕生地１４，１５，１６の要部は図１４のようで、第２枕生地１５の中央部は縫着線１９，２０によって左右を縫着され、その内側に第１枕生地１４の中央部が縫着線１７，１８によって縫着されている。
そして、前記筒状部Ｔ2の一端と、これに隣接する第１および第２枕生地１４，１５の内側端部は、縫着線１９，１７で区画した第２枕生地１５からなる仕切壁７によって斜状に区画されている。
【００３６】
また、前記筒状部Ｔ2の他端と、これに隣接する第１および第２枕生地１４，１５の内側端部は、縫着線１８，２０で区画した第２枕生地１５からなる仕切壁８によって斜状に区画されている。
前記仕切壁７，８は中央部内側に略逆ハ字状に対向配置され、これらは第１および第２枕生地１４，１５の変位に連動して起倒可能にされ、第２枕生地１５のマチ布として機能可能にされている。
【００３７】
前記第１乃至第３枕生地１４，１５，１６の中央部の縫着後、表地２１を用意する。
前記表地２１は第１乃至第３枕生地１４，１５，１６と同質の布片を前記枕生地と同形に裁断して形成し、これを第１枕生地１３の下部に重合し、縫着線１７，１８による等脚台形の下底側の長尺側端縁を除く端部周縁を縫着して密封する。図中、２２はその縫着線である。この状況は図１６のようである。
【００３８】
こうして、第１乃至第３枕生地１４，１５，１６と表地２１は、縫着線１７〜２０，２２によって、未縫着側を開口した３種類の袋状に形成され、この袋状部は凸部２，４を形成した中央室９部と、その両側の側部３，５を形成した側室１０，１０とに区画され、それらの開口側に詰物挿入用の開口部２３，２４，２４を形成している。
そして、前記第１枕生地１４の直下に表地２１が縫着されずに重合し、第１枕生地１４と表地２１との間に大きな空隙が形成されている。
【００３９】
そこで、第１枕生地１４と表地２１との間に手を挿入して表地２１を裏返し、その内側に第３乃至第１枕生地１６乃至１４を配置し、前記縫着線２２とその周端縁を枕１の内側に折り込んで隠蔽し、外観の体裁を整える。この状況は図１７のようである。
【００４０】
この後、各開口部２３，２４，２４を通して枕中央の袋状部と、その両側の袋状部に詰物１１，１２を充填する。
実施形態では、第２および第３枕生地１５，１４で区画する中央の袋状部、つまり中央室９に開口部２３から詰物１１を充填し、第１および第２枕生地１４，１５で区画する両側の袋状部、つまり側室１０に開口部２４から詰物１２を充填している。
【００４１】
この状況は図１８および図１９のようで、各袋状部の開口部２３，２４，２４は枕１の同側の長尺端縁に隣接している。
したがって、詰物１１，１２を容易かつ速やかに充填し得るとともに、一つの袋状部に詰物を充填後、当該袋状部が所望の設置面積と重量を保持し、その底部を作業台（図示略）上に設置して枕１を自立し得るから、第１乃至第３枕生地１４，１５，１６を保持することなく詰物の充填作業を能率良く行える。そして、各袋状部に詰物１１，１２を充填後、各開口部２３，２４，２４を縫着して密封する。
【００４２】
こうして各袋状部に詰物１１，１２を充填し、各開口部２３，２４，２４を縫着して密封すると、中央の袋状部に詰物１１が充填されて膨張し、また両側の袋状部に詰物１２が充填されて膨張し、それらの膨張によって仕切壁７，８が起立し、隣接する中央室９と側室１０とが仕切壁７，８によって斜状に区画され、その両側に詰物１１，１２が隣接して重合している。
【００４３】
この場合、中央の袋状部は柔軟で嵩張る詰物１１の充填によって大きく膨張し、両側の袋状部は硬く定形の詰物１２の充填によって膨張を抑制されている。
したがって、中央の袋状部の上面に凸部２が突出して形成され、その凸部２の両側の基部を縫着線１９，２０が規制する。この状況は図６のようである。
【００４４】
このように本発明の枕１は、第１乃至第３枕生地１４〜１６において、枕生地１４，１５、１５，１６の重合する各一対の左右の縫着線部１７，１９、１８，２０を内外若しくは左右に近接して配置し、その対応する二つの縫着部１７，１９、１８，２０で区画した布片、つまり仕切壁７，８を斜状に配置して第２枕生地１５からなるマチ布を構成したから、従来のように端切れ状の複数のマチ布の使用とその縫着を廃し、構成が簡単で容易かつ安価に製作できる。
【００４５】
また、詰物１１，１２の充填用の開口部２３，２４，２４を枕１の同側縁に隣接して配置しているから、袋状部に対し詰物１１，１２の充填を容易かつ速やかに行え、しかも一つの袋状部に詰物を充填すると、その袋状部が自立して他の枕生地１４〜１６の自立を促すから、他の袋状部に対する詰物の充填を容易かつ能率良く行える。
【００４６】
こうして製作した枕１を使用する場合は、例えば凸部２を上向きにし、その上底側を端部側にして枕１を布団１３上に設置し、この布団１３上に使用者Ｐが仰向けに横臥し、頭部６を凸部２上に載置する。この状況は図２０のようである。
【００４７】
このようにすると頭部６の重量によって上下の凸部２が押圧され、その分頭部６が落ち込む一方、下側の凸部４が押し潰されて消失し詰物１１が中央室９側へ移動する。
また、凸部２内の詰物１１が押し縮められて中央室９側へ移動するため、中央室９内に詰物１１が増量し、かつそれらが圧縮されて弾性を増強し、その弾性によって頭部６の落ち込み変位を抑制し安定して支持する。
実施形態では、後頭部が側部３，３の上面よりも若干落ち込んだ状態で支持される。この状況は図２１のようである。
【００４８】
このような状況から使用者Ｐが寝返りをする場合、側部３上面からの頭部６の落ち込み変位が抑制され、頭部６の移動の自由度が得られているから、容易に寝返りを行なえる。
そして、前記寝返り時は頭部６の移動に柔軟な詰物１１が同動し、詰物１１の上部が側部３側へ移動して頭部６および顔面に対する同様な接触状況を維持し、異物の接触による違和感を防止して快適な睡眠の継続を促がす。
【００４９】
しかも前記寝返り時は、仕切壁７，８の上部における詰物１１と詰物１２との重合比率が漸次変化し、中央部から側部３へ向かって詰物１２の重合比率が次第に低くなるから、寝返り状態によって前記重合比率の変化による感触状態が変化する。
すなわち、詰物１１の重合比率が高い中央部では柔軟で温暖な感触が得られ、側部３側に移動するにつれて柔軟で温暖な感触が薄れ、代わりに詰物１２による硬く冷涼な感触を感得する。
このように、本発明の枕１は寝返りを容易に行なえるとともに、中央部と側部３の詰物１１，１２の重合比率による多用な感触を得られる。
【００５０】
なお、前述の実施形態では下面側の凸部４，５を同高に形成しているが、中央の凸部４を若干高く突出すれば、頭部６を凸部２に載置した際、凸部２，４の詰物１１を中央室９に密集かつ押し縮めることによって、中央室９の弾性を増強し頭部６の沈み込みを抑制して寝返りの容易化を増進し得る。
また、枕１の使用を前記実施形態の代わりに、凸部２を上向きにし、その下底側を端部側にして枕１を布団１３上に設置し、または凸部４，５を上向きにして上底側を端部側にし、若しくは下底側を端部側にして枕１を布団１３上に設置する場合でも、前述と同様な寝返りと多用な感触を得られ、好みに応じた睡眠状態を選択し得る。
【産業上の利用可能性】
【００５１】
このように本発明の枕は、簡単な構成によってマチを形成したから、従来のような端切れ状のマチ布の使用とその縫着を廃し、マチを有する枕を容易かつ安価に製作できるとともに、頭部を載置した際の落ち込みを抑制して頭部の拘束を緩和し、寝返りを容易に行なえる。
【符号の説明】
【００５２】
１          枕
２，３      凸部
６          頭部
７，８      仕切壁
９          中央室
【００５３】
１０        側室
１１，１２  詰物
１４〜１６  枕生地
２３，２４  開口部
Ｐ          使用者
【図１】
2015008757.tif 000003
【図２】
2015008757.tif 000004
【図３】
2015008757.tif 000005
【図４】
2015008757.tif 000006
【図５】
2015008757.tif 000007
【図６】
2015008757.tif 000008
【図７】
2015008757.tif 000009
【図８】
2015008757.tif 000010
【図９】
2015008757.tif 000011
【図１０】
2015008757.tif 000012
【図１１】
2015008757.tif 000013
【図１２】
2015008757.tif 000014
【図１３】
2015008757.tif 000015
【図１４】
2015008757.tif 000016
【図１５】
2015008757.tif 000017
【図１６】
2015008757.tif 000018
【図１７】
2015008757.tif 000019
【図１８】
2015008757.tif 000020
【図１９】
2015008757.tif 000021
【図２０】
2015008757.tif 000022
【図２１】
2015008757.tif 000023